(57)【要約】      （修正有）【課題】印刷物の汚れ等に影響されずに複写できる複合機を提供する。【解決手段】複合機１に、プリンタエンジン６とスキャナ１０にＩＤリーダ７、１１を搭載する。文書印刷データ受信部３で受信した印刷データを画像データ描画部４、描画データ転送部５を通してプリンタエンジン６から印刷するとき、ＩＤリーダ７でＩＤ番号を読み取り、ＩＤ対応管理テーブル１７に印刷データの文書印刷データファイル名に対応して記録する。印刷データのファイルは、文書印刷データ格納バッファ１４から文書印刷データファイル９に格納される。印刷した印刷物を複写するときに、印刷物のＲＦＩＤタグからＩＤ番号を読み取り、ＩＤ対応管理テーブル１７を検索して、対応する文書印刷データファイル名で文書印刷データファイル９から印刷データのファイルを取り出し、これを用いて印刷することにより複写する。【選択図】図１
2006007674.tif 000002
【特許請求の範囲】
【請求項１】
非接触でデータの読み出し又はデータの書き込みを行うＩＣタグが内蔵された用紙にスキャナで読み取った画像を記録する印刷手段と、
該印刷時、前記ＩＣタグの識別情報を読み出し、前記識別情報と前記スキャナが読み取った画像データを対応させて記憶する記憶手段と、
前記印刷手段により記録された前記用紙の画像を複写する時に、前記用紙に内蔵される前記ＩＣタグに記憶された識別情報を読み出す読み出し手段と、
読み出した該識別情報に従って、前記記憶手段を検索し、該記憶手段に識別情報に対応して記憶されている画像データを読み出し、該画像データに基づき印刷処理を行う印刷制御手段と、
を有することを特徴とする複合機。
【請求項２】
前記ＩＣタグ付き用紙を給紙する給紙機構と普通用紙を給紙する給紙機構とからなる給紙手段を有し、選択に従ってＩＣタグ付き用紙、又は普通用紙の給紙選択が可能であることを特徴とする請求項１記載の複合機。
【請求項３】
前記読み出し手段が、複写時において前記ＩＣタグに記憶された識別情報の読み出しに失敗した場合、前記スキャナにより読み取った画像データに基づいて印刷処理を行うことを特徴とする請求項１、又は２記載の複合機。
【請求項４】
前記ＩＣタグ付き用紙による印刷と、通常用紙による印刷の選択を、印刷データの頁毎に行うことを特徴とする請求項１、２、又は３記載の複合機。
【発明の詳細な説明】
【技術分野】
【０００１】
本発明は印刷機能と複写機能を持つ複合機能装置（以下複合機で示す）において、ＩＣタグを備えた印刷用紙を使用する複合機に関する。
【背景技術】
【０００２】
今日、印刷装置、ファクシミリ、複写機など複数の機能を持つＯＡ機器が普及している。また、ＲＦＩＤタグ（Ｒａｄｉｏ  Ｆｒｅｑｕｅｎｃｙ  Ｉｄｅｎｔｉｆｉｃａｔｉｏｎタグ）などのＩＣタグが付加された用紙も開発され、この用紙を複合機においても利用され始めている。
【０００３】
特許文献１は、ＩＤ（識別）番号とＲＦＩＤタグの情報を照合し、複写の許可を行う複合機が開示されている。また、トレイを複数設け、ＲＦＩＤタグ付き用紙と通常の用紙を収納し、受信信号にＲＦＩＤタグへの書き込みデータが含まれている時ＲＦＩＤタグ付き用紙の供給を受ける技術も開示されている。
【０００４】
また、特許文献２には、図書にマーキングを装着し、マーキング又はＩＤを読み取る読み取り装置と複写可否情報を持つデータベースと複写を制限するデータ処理装置で複写機の複写の制限を行う図書不正複写防止システムが開示されている。
【特許文献１】特開２００２−３３７４２６号公報  （段落番号００２０、００３４から００３８、図６、図９）
【特許文献２】特開２００３−３０２８８０号公報  （段落番号００３０から００３９、図２）
【発明の開示】
【発明が解決しようとする課題】
【０００５】
しかしながら、従来例では、印刷物の表面上の画像をスキャンするため、例えば印刷物の表面が汚れている場合、汚れもスキャンし、そのまま印刷されてしまう。同様に、印刷物に何らかの書き込みが行われている場合、当該書き込みもスキャンされ、希望する印刷物を得ることができない。
【０００６】
そこで、本発明は、印刷後の印刷物の複写時、当該印刷物に埋め込まれたＲＦＩＤタグなどの非接触ＩＣタグの情報を読み取り、読み取ったＩＤ（識別情報）に対応した管理テーブルを検索して、保存した印刷データを読み出して印刷することによって、印刷物の汚れや書き込みに影響されることのない複合機を提供するものである。
【課題を解決するための手段】
【０００７】
上記課題は本発明によれば、非接触でデータの読み出し又はデータの書き込みを行うＩＣタグが内蔵された用紙にスキャナで読み取った画像を記録する印刷手段と、該印刷時、前記ＩＣタグの識別情報を読み出し、前記識別情報と前記スキャナが読み取った画像データを対応させて記憶する記憶手段と、前記印刷手段により記録された前記用紙の画像を複写する時に、前記用紙に内蔵される前記ＩＣタグに記憶された識別情報を読み出す読み出し手段と、読み出した該識別情報に従って、前記記憶手段を検索し、該記憶手段に識別情報に対応して記憶されている画像データを読み出し、該画像データに基づき印刷処理を行う印刷制御手段とを有する複合機を提供することによって達成できる。
【０００８】
このように構成することにより、原稿が汚れていても、又原稿に書き込み等が行われている場合でも、識別情報としてのＩＤ番号の一致を判断することによって汚れや書き込みのない複写印刷を行うことができる。
【０００９】
また、前記ＩＣタグ付き用紙を給紙する給紙機構と普通用紙を給紙する給紙機構とからなる給紙手段を有し、選択に従ってＩＣタグ付き用紙、又は普通用紙の給紙選択が可能である。
【００１０】
このように構成することにより、不必要に非接触ＩＣタグ内蔵用紙を使用せず、印刷コストを抑えることができる。
また、前記読み出し手段が、複写時において前記ＩＣタグに記憶された識別情報の読み出しに失敗した場合、前記スキャナにより読み取った画像データに基づいて印刷処理を行うことができる。
【００１１】
このように構成することにより、例え識別情報の読み出し処理に失敗した場合でも印刷データの印刷処理を行うことができる。
また、前記ＩＣタグ付き用紙による印刷と、通常用紙による印刷の選択を、印刷データの頁毎に切り替えて行うことができる。
【００１２】
このように構成することにより、頁により給紙の種類をＩＣタグ内蔵用紙と通常用紙との間で切換制御することができ、例えば先頭頁の用紙のみ識別情報の認識が必要で、残りの頁はその必要が無いような場合に、コストの高いＩＣタグ内蔵用紙の使用を抑えることができる。
【発明の効果】
【００１３】
本発明によれば、複合機において、印刷物の複写時に印刷物の非接触ＩＣタグを読み取り、ＩＤ対応管理テーブルを検索して、印刷データ保持手段から印刷時に保存している印刷データを取り出し、複写する。したがって、印刷後の原稿表面上の画像をスキャンすることがないので原稿表面が汚れや書き込みに影響されることなく、希望する印刷結果が得られる。
【００１４】
また、原稿画面上の画像スキャンに要する時間が不要になるので複写時間が短縮される。
また、オペレータがオペレーションパネルによって用紙は非接触ＩＣタグ内蔵用紙か通常用紙かを選択できるため、不必要に非接触ＩＣタグ内蔵用紙を使用せず、印刷コストを抑えることができる。また、オペレータの操作により、画像スキャンによる通常の複写も可能である。
【００１５】
さらに、頁により給紙の種類をＩＣタグ内蔵用紙と通常用紙との間で切換制御することができ、コストの高いＩＣタグ内蔵用紙の使用を抑えることができる。また、この処理により複数頁の複写時間を短縮することができる。
【発明を実施するための最良の形態】
【００１６】
以下、本発明の実施の形態を図面を参照しながら説明する。
（実施形態１）
図１は本実施形態の構成を示す回路構成図である。本例は印刷機能と複写機能を合わせ持つ複合機について説明するものである。以下に各部の説明を行う。
【００１７】
同図において、ＰＣはパーソナルコンピュータであり、アプリケーションプログラムに従って作成した印刷データを複合機１に供給する。複合機１は、複写制御部２、文書印刷データ受信部３、画像データ描画部４、描画データ転送部５、プリンタエンジン６、ＩＤリーダ７、排紙制御部８、文書印刷データファイル９、スキャナ１０、ＩＤリーダ１１、スキャン制御部１２、オペレーションパネル１３、文書印刷データ格納バッファ１４、画像メモリ１５、スキャン画像バッファ１６、ＩＤ対応管理テーブル１７、文書印刷データファイル名バッファ１８で構成されている。
【００１８】
文書印刷データ受信部３は、ホスト機器であるパーソナルコンピュータ（ＰＣ）から供給される文書印刷データを受信し、文書印刷データ格納バッファ１４に１頁分又は１文書分の文書印刷データを格納し、印刷データの保持完了を画像データ描画部４に通知する。
【００１９】
画像データ描画部４は、文書印刷データの展開完了通知を受けると、文書印刷データ格納バッファ１４に記憶した印刷データを順次解析し、１頁分の描画のためのメモリである画像メモリ１５に解析データを描画する。画像メモリ１５には順次画像データが展開され、例えば１頁分の画像データの展開が完了すると、画像データ描画部３は、複写制御部２に対して画像メモリ描画完了通知を行う。
【００２０】
画像メモリ１５に画像データが展開されると、描画データ転送部５は画像データを画像メモリ１５から読み出し、プリンタエンジン６に転送する。
プリンタエンジン６は、例えば感光体、帯電器、現像器、転写器等で構成され、描画データ転送部５から供給される画像データを用紙に印刷する。ＩＤリーダ７は、プリンタエンジン６に備え付けられ、用紙に貼付或いは漉き込んで取り付けられた非接触ＩＣタグ（以下ＲＦＩＤタグという）と通信を行い、ＲＦＩＤタグ内のデータを読み出し、或いは印刷した画像に関連する情報を書き込む。
【００２１】
排紙制御部８は、ＲＦＩＤタグが内蔵された用紙の排紙が行われる際、ＩＤリーダ７で読み取った、例えば個々のＲＦＩＤ素子を識別するための識別情報、即ちＩＤ番号とＩＤ番号取得を複写制御部２に通知する。また、文書印刷データファイル９には、複写制御部２が文書印刷データ格納バッファ１４から読み出した文書印刷データのファイルが格納される。
【００２２】
スキャナ１０は複写機能を確保する構成であり、用紙に付加されたＲＦＩＤタグとスキャン時に通信を行うＩＤリーダ１１を備える。スキャナ制御部１２は、複写制御部２の制御に従ってスキャナ１０、及びＩＤリーダ１１の制御を行い、スキャナ１０で読み取った原稿画像をスキャン画像バッファ１６に格納する。
【００２３】
ＩＤ対応管理テーブル１７は、ＩＤリーダ７で読み取ったＩＣタグのＩＤ番号とその用紙に記録されるとともに、文書印刷データファイル９に記憶されている文書印刷データファイルの文書印刷データファイル名とを対応付けて記憶する。
【００２４】
文書印刷データファイル名バッファ１８は、複写制御部２が文書印刷データ格納バッファ１４からの文書印刷データファイルを作成したときにそのファイル名を保持するバッファである。ＩＤ番号読み取り後に、ＩＤ番号と文書印刷データファイル名を対応させて、ＩＤ対応管理テーブル１７に書き込まれる。
【００２５】
オペレーションパネル１３は、例えば利用者が操作を行うものであり、例えばスキャナ１０を使用する際操作する。
図２は、上記ＩＤ対応管理テーブル１７のデータ構成を示す図である。同図に示すように、ＩＤ対応管理テーブル１７はレコード毎に、文書印刷データファイル名とＲＦＩＤタグＩＤ（識別情報）が対応して登録されている。また、登録数も記憶される。複写制御部２によって書き込まれる文書印刷データファイル名は、例えば用紙１頁分のファイルの名前である。また、ＲＦＩＤタグＩＤは主にＩＤ番号であるが、他のデータで構成してもよい。また、タグの製造時に予め書き込まれている素子個々に異なるシリアル番号を用いても良いし、印刷処理時にライター機能も含むＩＤリーダ７で個別に書き込んだ識別情報を用いることもできる。
【００２６】
次に、本例の処理動作をフローチャートを用いて説明する。
先ず、図３は上記文書印刷データ受信部３の処理動作を説明するフローチャートである。先ず、文書印刷データ受信部３は前述のパーソナルコンピュータ（ＰＣ）から供給される印刷データを待ち（ステップ（以下、Ｓで示す）１−１がＮＯ）、パーソナルコンピュータ（ＰＣ）から印刷データが供給されると、供給された文書印刷データを文書印刷データ格納バッファ１４に格納する（Ｓ１−２）。そして、１頁分の文書印刷データの格納が完了したか判断し（Ｓ１−３）、完了していない間上記保存処理を繰り返す。一方、格納処理が完了した場合、文書印刷データ保持完了を画像データ描画部４に通知する（Ｓ１−４）。
【００２７】
次に、画像データ描画部４の処理動作を図４に示すフローチャートを使用して説明する。先ず、文書印刷データ受信部３からの文書印刷データ保持完了通知があるか判断し（Ｓ２−１）、通知がある場合、文書印刷データ保持完了を複写制御部２に通知する。
【００２８】
図５は上記複写制御部２のフローチャートを示し、処理（Ｓ３−１）でオペレーションパネルでのボタンの押下がない時、画像データ描画部４から文書印刷データ保存完了通知ありかを判断する（Ｓ３−１３）。上記画像データ描画部４からの通知があった時、保持した文書印刷データのユニークな文書印刷データファイル名を生成し、そのファイル名を文書印刷データファイル名バッファ１８に書き込む（Ｓ３−１４）。また、文書印刷データ格納バッファ１４のデータを決定したファイル名で文書印刷データファイル９に書き込み、格納する（Ｓ３−１５）。
【００２９】
すなわち、上記処理によってホスト機器から送信された新たな印刷データのファイル名を文書印刷データファイル名バッファ１８に書き込み、更に印刷データを文書印刷データファイル９に登録する。
【００３０】
その後、文書印刷データ展開完了を画像データ描画部４に通知し（Ｓ３−１６）、図４に示す判断（Ｓ２−３）に移行する。すなわち、複写制御部２から文書印刷データ展開完了通知があるか判断する。ここで、文書印刷データ展開完了通知がある場合、文書印刷データ格納バッファ１４のデータを取り出して順次解析し、画像メモリ１５への描画を行う（Ｓ２−４）。
【００３１】
次に、１頁分の描画処理が完了したか判断する（Ｓ２−５）。ここで、完了でない場合、処理（Ｓ２−４）に戻り、描画処理を継続する。一方、完了した場合、画像メモリ描画完了を描画データ転送部５に通知し（Ｓ２−６）、図６のフローチャートを実行する。
【００３２】
図６は描画データ転送部５の動作を示すフローチャートであり、先ず画像メモリ描画完了の通知があるか判断する（Ｓ４−１）。ここで、画像データ描画部４から画像メモリ描画完了通知が送信されている場合、画像メモリ１５に展開された描画データをプリンタエンジン６に転送する（Ｓ４−２）。プリンタエンジン６は描画データに基づいて印刷処理を行い、ＲＦＩＤタグ付き用紙に画像を印字する。
【００３３】
続いて、複写制御部２の処理により、図５に示すフローチャートを実行し、オペレーションパネル１３のボタン押下がない状態で（Ｓ３−１がＮＯ、Ｓ３−１３がＮＯ）、ＩＤ番号の取得が有るか判断する（Ｓ３−１７）。この判断は、前述の排紙制御部８から送信されるＲＦＩＤタグ付き用紙からの読み取り情報によって得られる。
【００３４】
ここで、ＩＤ番号の取得通知が有る場合（Ｓ３−１７がＹＥＳ）、当該ＩＤ番号と前述の文書印刷データのファイル名を対応してＩＤ対応管理テーブル１７に記録する（Ｓ３−１８）。このように構成することにより、新たにホスト機器から供給される印刷データのファイル名と当該印刷データが印刷出力された用紙（ＲＦＩＤタグ付き用紙）との対応関係がＩＤ対応管理テーブル１７に記録される。
【００３５】
尚、ＲＦＩＤタグ内蔵用紙である印刷用紙の排紙判断は図８に示すフローチャートに従って行われる。すなわち、排紙があるか判断し（Ｓ６−１）、前述のＩＤリーダ７にてＲＦＩＤタグ内蔵用紙のＲＦＩＤタグに記憶されているＩＤ番号を読み出す（Ｓ６−２）。そして、読み出したＩＤ番号とＩＤ番号取得を複写制御部２に通知することによって行う（Ｓ６−３）。
【００３６】
以上のようにして画像データの印刷出力が行われた後、当該印刷物の複写を行う。
この処理は図５に示す複写制御部２の制御によって実行される。先ず、オペレーショパネルのボタン押下があるか判断する（Ｓ３−１）。そして、ボタン押下があると、当該ボタン押下が“複写”の指示であるか判断する（Ｓ３−２）。尚、“複写”でない場合には処理（Ｓ３−１）に戻る。
【００３７】
一方、“複写”のボタン押下である場合、スキャナ制御部１２にＩＤ番号読み出し依頼を通知し（Ｓ３−３）、図７に示すスキャナ制御部１２の処理に移行する。この処理は、先ず複写制御部２からＩＤ番号読み出し依頼通知が有るか判断し（Ｓ５−１）、依頼通知がある場合、スキャナ原稿台上にあるＲＦＩＤタグ内蔵用紙の原稿からＩＤリーダ１１でＩＤ番号を読み出す（Ｓ５−２）。そして、複写制御部２に対して読み出したＩＤ番号とＩＤ番号読み出し完了を通知し（Ｓ５−３）、図５に示す処理（Ｓ３−４）に移る。
【００３８】
複写制御部２は、ＩＤ番号読み出し完了通知があると（Ｓ３−４がＹＥＳ）、通知されたＩＤ番号をＩＤ対応管理テーブル１７から検索し、ＩＤ番号と対応する文書印刷データファイルの文書印刷データファイル名より同じＩＤ番号の文書印刷データファイルの存在を確認する（Ｓ３−５）。すなわち、同じＩＤ番号が存在しない又は対応するファイル名のファイルが存在しないか判断する（Ｓ３−６）。
【００３９】
ここで、同じＩＤ番号又は対応する文書印刷データファイル名が存在しない場合、画像スキャン依頼をスキャナ制御部１２に通知し（Ｓ３−７）、前述の図７の処理（Ｓ５−４）に移行する。
【００４０】
スキャン制御部１２では、複写制御部２から画像スキャン依頼通知あると（Ｓ５−４がＹＥＳ）、スキャナ原稿台上にあるＲＦＩＤタグ内蔵用紙の原稿から画像データをスキャンし、スキャンしたデータをスキャン画像バッファ１６に書き込む（Ｓ５−５）。そして、画像スキャン完了を複写制御部２に通知し（Ｓ５−６）、図５に示す複写制御部２の処理に戻る。
【００４１】
複写制御部２では画像スキャン完了通知が有ると（Ｓ３−８がＹＥＳ）、新たな原稿データを登録する為、スキャンした画像のためのユニークなファイル名を決定し、そのファイル名を文書印刷データファイル名バッファ１８に書き込む（Ｓ３−９）。また、スキャンしたスキャン画像バッファ１６のデータを取り出して文書印刷データ格納バッファ１４に書き込む（Ｓ３−１０）。このように構成することにより、新たな原稿データの情報は複合機１に登録される。
【００４２】
一方、前述の判断（Ｓ３−６）において、ＩＤ対応管理テーブル１７に同じＩＤ番号が存在する又は対応するファイル名のファイルが存在する場合、処理（Ｓ３−１１）に進み、同じＩＤ番号又は対応する文書印刷データファイル名で文書印刷データファイルを文書印刷データファイル９から読み出し、読み出したデータを文書印刷データ格納バッファ１４に書き込む（Ｓ３−１１）。ファイル名を文書印刷データファイル名バッファ１８に書き込む（Ｓ３−１２）。
【００４３】
以後、前述の処理と同じ印刷処理を行い、文書印刷データ展開完了を画像データ描画部４に通知し（Ｓ３−１６）、印刷出力を行う。
以上のように構成することによって、印刷物に汚れや書き込みがある場合でも、ＲＦＩＤタグ付き用紙から読み取ったＩＤ番号に基づいて文書印刷データファイル９を検索し、汚れや書き込みのない印刷データに基づいて印刷処理を行うことができる。
【００４４】
尚、本例の実施形態では文書印刷データファイルを記憶する記憶装置、つまり文書印刷データファイル９を複合機１の内部にあるものとして説明したが、ネットワークで接続された外部に記憶装置を配設する構成としてもよい。
【００４５】
また、ＩＤ対応管理テーブル１７はネットワークで接続された別の複合機のＩＤ対応管理テーブルを共有し、検索対象としてもよい。
さらに、ＲＦＩＤタグは実施形態１ではＩＤ番号が記憶されているものとしたが、複合機１で内部的に生成したＩＤ番号を印刷用紙排紙時に書き込む構成としてもよい。
【００４６】
また、ＩＤ対応管理テーブル１７と文書印刷データファイル９に格納された印刷データとの対応関係は、文書印刷データファイル名を基に参照する例を示したが、ファイル作成日時など、他の区別情報を用いて参照検索できるようにしても良いし、直接文書印刷データファイル９の記憶装置アドレスを基に参照検索する構成とすることも可能である。
【００４７】
（実施形態２）
次に、本発明の実施形態２について説明する。
図９に本例の構成図を示す。本例においては、実施形態１で使用した図１の構成に対して、給紙制御部１９と給紙用紙種バッファ２０が追加された構成である。尚、他の構成については前述の構成と同様である。
【００４８】
給紙制御部１９は、複写制御部２から給紙選択の通知を受けた場合、給紙選択情報が保持されている給紙用紙種バッファ２０から給紙用紙種を読み出し、ＲＦＩＤタグ内蔵用紙か通常用紙による給紙をプリンタエンジン６に指示する。プリンタエンジン６は指示に従い、以降の印刷時における給紙は該当する給紙口から行う。給紙用紙種バッファ２０には複写制御部２から複写時に給紙用紙種が書き込まれる。
【００４９】
尚、排紙制御部８は、給紙用紙種を呼んでＲＦＩＤタグ内蔵用紙のときのみＩＤリーダ７を稼動させ、ＩＤ番号の読み取り及び通知を行う。
次に実施形態２の処理動作を説明する。文書印刷データ受信部３、画像データ描画部４、描画データ転送部５及びスキャナ制御部１２は実施形態１と同じ処理を行う。また、図１０は給紙制御部１９の処理を示すフローチャートであり、図１１は排紙制御部８の処理を説明するフローチャートであり、図１２は複写制御部２の処理を説明するフローチャートである。
【００５０】
先ず、図１０に示すフローチャートに従って、給紙制御部１９は複写制御部２から給紙選択通知が有るか判断する（Ｓ７−１）。ここで、通知がある場合、給紙用紙種バッファ２０から給紙用紙種を読み出す（Ｓ７−２）。そして、給紙用紙種がＲＦＩＤタグ内蔵用紙かを判断し（Ｓ７−３）、ＲＦＩＤタグ内蔵用紙であった場合、ＲＦＩＤタグ内蔵用紙の給紙をプリンタエンジン６に指示する（Ｓ７−４）。一方、給紙紙種がＲＦＩＤタグ内蔵用紙でなかった場合、通常用紙の給紙をプリンタエンジン６に指示する（Ｓ７−５）。以後、実施形態１と同様に複写が行われる。
【００５１】
したがって、排紙制御部８は図１１に示すフローチャートに従って処理を行い、印刷用紙の排紙ありかを判断し（Ｓ６−１）、排紙がある場合、給紙用紙種バッファ２０から給紙用紙種を読み出し（Ｓ６−４）、ＲＦＩＤタグ内蔵用紙である場合、ＩＤリーダ７にて排紙されているＲＦＩＤタグ内蔵用紙のＲＦＩＤタグに内蔵されているＩＤ番号を読み出す（Ｓ６−２）。そして、複写制御部２へＩＤ番号取得及びＩＤ番号を通知し（Ｓ６−３）、前述の複写制御部２による処理を行う。
【００５２】
図１２の複写制御部２の処理を示すフローチャートは、実施形態１の図５に対応し、判断（Ｓ３−１）と（Ｓ３−２）の間に、処理（Ｓ３−１９）〜（Ｓ３−２３）が挿入されたものであり、その他は図５のフローチャートの処理と同じである。したがって、本例では処理（Ｓ３−１９）〜（Ｓ３−２３）を説明し、他の説明は省略する。また、ここで、本方式の複写機能は、本発明の複写機能の内、印刷物のＩＤ番号による検索を行い保持している文書印刷データで複写を行う方式である。
【００５３】
複写制御部２は、処理（Ｓ３−１）でオペレーションパネル１３のボタン押下が有ると、当該ボタン押下は本方式の複写機能の使用可能な印刷の指示か判断する（Ｓ３−１９）。そして、ボタン押下が本方式で使用可能な印刷の指示である場合、“ＲＦＩＤタグ内蔵用紙”を給紙用紙種バッファ２０に書き込み（Ｓ３−２０）、処理（Ｓ３−２３）に進む。
【００５４】
一方、処理（Ｓ３−２１）では、ボタン押下は本方式による複写機能を使用しない印刷の指示かを判断する。本方式を使用しない印刷の指示でない場合は、処理（Ｓ３−２２）に進み、“通常用紙”を給紙用紙種バッファ２０に書き込む（Ｓ３−２２）。  以上のように、本例によればＲＦＩＤタグ付き用紙の使用か、又は通常用紙の使用かを選択することができ、不必要に高価なＲＦＩＤタグ内蔵用紙を使用せず、印刷コストを抑えることができる。
（実施形態３）
次に、本発明の実施形態３について説明する。
【００５５】
本例はスキャナ１０のＩＤリーダ１１で、複写対象物のＲＦＩＤタグ内蔵用紙のＲＦＩＤタグからＩＤ番号が読み出せない時、通常通りスキャナ１０でスキャンして複写を行う構成である。以下、具体的に説明する。
【００５６】
図１３に複写制御部２のフローチャートを示し、図１４にスキャナ制御部１２のフローチャートを示す。他の各部の動作は、実施形態２と同等である。
図１３のフローチャートと実施形態２の処理の違いは、判断（Ｓ３−４）と処理（Ｓ３−５）間に判断（Ｓ３−２４）が入るものである。したがって、この処理を説明し、他の処理は実施形態２と同じであり、省略する。また、図１４のスキャナ制御部１２の処理動作は、実施形態１の図７のフローチャートから処理（Ｓ５−３）が削除され、新たに処理（Ｓ５−７）〜（Ｓ５−９）が加わったものである。
【００５７】
先ず、図１３の複写制御部２のフローチャートにおいて、ＩＤ番号読み出し依頼を通知し（Ｓ３−３）、図１４のフローチャートの処理（Ｓ５−１）に処理を移行する。すなわち、スキャナ制御部１２はＩＤ番号読み出し依頼通知があると、Ｓ５−２でスキャナ原稿台上の原稿からＩＤリーダ１１にてＩＤ番号を読み出す（Ｓ５−２）。そして、ＩＤ番号読み出しが成功したか判断し（Ｓ５−７）、読み出しに成功すると、ＩＤ番号読み出し成功情報とＩＤ番号読み出し完了情報を複写制御部２に通知し（Ｓ５−８）、図１３のフローチャートの処理（Ｓ３−４）に移行する。
【００５８】
一方、ＩＤ番号の読み出しに失敗すると、ＩＤ番号読み出し失敗情報とＩＤ番号読み出し完了信号を複写制御部２に通知（Ｓ５−９）し、図１３のＳ３−４に処理は移る。
したがって、ＩＤ番号読み出しに成功すると、通知されたＩＤ番号をＩＤ対応管理テーブル１７から検索し、ＩＤ番号と対応する文書印刷データファイルの文書印刷データファイル名より同ＩＤ番号の文書印刷データファイルの存在を調べ確認する（Ｓ３−５）。以降、文書印刷データファイル９から文書印刷データファイルを読み出して複写を行う。一方、Ｓ３−２４でＩＤ番号読み出しに失敗するとＳ３−７に進み、画像スキャン依頼を通知し（Ｓ３−７）、図１４のＳ５−４に処理は移る。
【００５９】
以上のように処理することによって、ＩＤ番号の読み出しに失敗した場合でも、通常のスキャン処理によって原稿の複写処理を可能とすることができる。
（実施形態４）
次に、本発明の実施形態４について説明する。
【００６０】
本例は、利用者がオペレーションパネル１３で画像スキャンによる通常の複写か本方式の文書印刷データファイルを利用した複写かを選択できるものである。以下、具体的に説明する。
【００６１】
図１５に、複写制御部２の動作をフローチャートで示す。実施形態３の複写制御部２の図１３のフローチャートとの違いは処理（Ｓ３−２）の代わり、処理（Ｓ３−２５）、（Ｓ３−２６）を設けたものである。したがって、この処理（Ｓ３−２５）、（Ｓ３−２６）の処理を説明し、他は実施形態３と同等なので省略する。
【００６２】
先ず、図１５に示すフローチャートにおいて、判断（Ｓ３−２１）でボタン押下は本方式による複写機能を使用しない印刷の指示ではないとき、つまり複写機能を使用するときに、ボタン押下は“画像スキャン複写”の指示か判断する（Ｓ３−２５）。“画像スキャン複写”の指示の場合は、処理（Ｓ３−７）に進み、画像スキャン依頼を通知する。以降、画像スキャンによる複写を行う。
【００６３】
処理（Ｓ３−２５）で“画像スキャン複写”の指示でない場合、ボタン押下は上述の“本方式の複写”の指示かを判断する（Ｓ３−２６）。“本方式の複写”の指示であった場合は、Ｓ３−３に進み、ＩＤ番号読み出し依頼をスキャナ制御部１２に通知する。以降、文書印刷データファイル９から文書印刷データファイルを読み出して複写を行う。
【００６４】
以上のように本例の処理によれば、本例による複写処理か通常の複写処理かを選択することができ、より利用し易い複合機とすることができる。
（実施形態５）
次に、本発明の実施形態５について説明する。
【００６５】
図１６は本例の複合機の構成を説明する回路ブロック図である。同図において、文書印刷データ受信部３は、パーソナルコンピュータ（ＰＣ）から文書印刷データが送信されてきた場合、文書印刷データを解析し、１文書分の印刷データを文書印刷データ格納バッファ１４に格納する。
【００６６】
画像データ描画部４は、複写制御部２から文書印刷データ展開完了の通知を受けると、文書印刷データ格納バッファ１４内のデータを解析し描画を行い、１頁分の描画が完了したら例えば、文書の１頁目なら“ＲＦＩＤタグ内蔵用紙”を、文書の２頁目以降なら“通常用紙”を給紙用紙種バッファ２０に書き込み、給紙制御部１９に給紙選択を通知する。この設定は、画像データ描画部４又は複写制御部２に設定されているか又は例えば、オペレーションパネル１３で設定し、複写制御部２で備えておき、画像データ描画部４に設定する。
【００６７】
給紙制御部１９は、この給紙選択の通知により、１頁ずつの給紙を給紙用紙種バッファ２０から読み出して給紙を制御する。プリンタエンジン６の制御によりＲＦＩＤタグ内蔵用紙又は通常用紙の給紙を行う。
【００６８】
文書印刷データ受信部３と画像データ描画部４の他の各部の動作は、実施形態４と同等であるので省略する。
図１７に、文書印刷データ受信部３の動作をフローチャートで示す。実施形態１の図３と比較すると処理（Ｓ１−３）に代わって、処理（Ｓ１−５）となっている。また、図１８に画像データ描画部４の動作をフローチャートで示す。実施形態１の図４に加えて新たに処理（Ｓ２−７）から処理（Ｓ２−１０とＳ２−１１）までの追加がある。
【００６９】
先ず、図１７の処理（Ｓ１−１）で、文書印刷データ受信部３は、印刷データ受信があると、データを受信し、文書印刷データ格納バッファ１４へ保持する（Ｓ１−２）。１文書分のデータ保持完了したか判断する。完了していない場合は、Ｓ１−２に戻る（Ｓ１−５）。完了した場合は、画像データ描画部４に文書印刷データ保持完了を通知し（Ｓ１−４）、図１８の（Ｓ２−１）に処理は移る。
【００７０】
図１８の処理（Ｓ２−１）で、画像データ描画部４は、文書印刷データ保持完了の通知ありかを判断する（Ｓ２−１）。この処理（Ｓ２−１、Ｓ２−２、Ｓ２−３）から処理（Ｓ２−５）までは、図４と同じ処理である。処理（Ｓ２−１）で文書印刷データ保持完了通知がなく、文書印刷データ展開完了通知があると（Ｓ２−３）、文書印刷データ格納バッファ１４のデータを取り出して順次解析し、画像メモリ１５への描画を行う。（Ｓ２−４）。１頁分の描画完了したか判断する（Ｓ２−５）。
【００７１】
そして、１頁分の描画が完了すると、この文書の１頁目かを判断する（Ｓ２−７）。１頁目の場合は、“ＲＦＩＤタグ内蔵用紙”を給紙用紙種バッファ２０に書き込む（Ｓ２−８）。１頁目でない場合は、“通常用紙”を給紙用紙種バッファ２０に書き込む（Ｓ２−９）。
【００７２】
次に、給紙制御部１９に給紙選択を通知し（Ｓ２−１０）、処理は上述の図１２のＳ７−１に移る。図１２の処理（Ｓ７−１）で、給紙制御部１９は、給紙選択通知があると、上述した給紙処理を行う。
【００７３】
図１８に戻り、画像データ描画部４は、描画データ転送部５に画像メモリ描画完了を通知し（Ｓ２−６）、処理は図６の処理（Ｓ４−１）に移る。図６の処理（Ｓ４−１）で、描画データ転送部５は、画像メモリ描画完了通知を受けると、上述の描画データ転送処理が行われる。
【００７４】
次に、図１８に戻り、文書印刷データ格納バッファ１４内の全データに対する解析・描画が完了したか判断する（Ｓ２−１１）。完了していない場合は、Ｓ２−４に戻る。
以上のように構成することによって、頁により給紙の種類をＲＦＩＤタグ内蔵用紙か通常用紙かを制御することができ、コストの高いＲＦＩＤタグ内蔵用紙の使用を抑えることができる。
【００７５】
尚、ＲＦＩＤタグ内蔵用紙を用いるのは、１頁目としたが、任意に設定できる。例えば、最終頁でもよいし５頁目以降の頁、３頁と７頁などでもよい。
（実施形態６）
次に、本発明の実施形態６について説明する。
【００７６】
図１９に、実施形態６の構成図を示す。実施形態５の図１６との違いは、印刷ページ番号バッファ２１が設けられていることである。印刷ページ番号バッファ２１は、画像データ描画部４及び複写制御部２に接続される。複写制御部２により、印刷ページ番号バッファ２１は、印刷する頁を例えば“表紙のみ”や“文書全体”等のように書き込まれる。画像データ描画部４は、印刷ページ番号バッファ２１を参照し、印刷の制御を表紙のみの印刷や文書全体の印刷を行う。
【００７７】
画像データ描画部４と複写制御部２の動作を以下に示す。スキャナ制御部１２の動作は、実施形態１の図７と同等である。他の各部の動作は実施形態５と同等であるので省略する。
【００７８】
図２０に、画像データ描画部４の動作をフローチャートで示す。図１８の実施形態５の画像データ描画部４のフローチャートとの違いは、処理（Ｓ２−１２）、（Ｓ２−１３）であり、この処理を説明する。図２１に、複写制御部２の動作をフローチャートで示す。実施形態２の図１２のフローチャートとの違いは、処理（Ｓ３−１９）から（Ｓ３−２３とＳ３−２）に代わって、図２１では処理（Ｓ３−２７）から（Ｓ３−３０）までの処理が入っていることである。以下、説明する。
【００７９】
先ず、図２０の処理（Ｓ２−６）で、画像描画データ部４が画像メモリ描画完了を通知し（Ｓ２−６）、描画データ転送部５で上述の処理をした後、処理が戻ると、印刷ページ番号バッファ２１から印刷ページ番号読み出しを行う。これは、後述する図２１の処理（Ｓ３−２８）、又は処理（Ｓ３−３０）で書き込まれたものを読み出す（Ｓ２−１２）。
【００８０】
次に、印刷ページ番号が表紙のみかを判断する。表紙のみの場合は処理（Ｓ２−１）に戻る。表紙のみでない場合は、文書印刷データ格納バッファ１４内のデータに対する解析・描画が完了したか判断する。完了でなければ、Ｓ２−４に戻り上述した複写を続ける（Ｓ２−１１）。
【００８１】
図２１の処理（Ｓ３−１）で、複写制御部２は、オペレーションパネル１３のボタンの押下があると、ボタン押下は“表紙のみ複写”の指示かを判断する。“表紙のみ複写”の指示でないときは、処理（Ｓ３−２９）に進む。“表紙のみ複写”の指示であるときは、“表紙のみ”を印刷ページ番号バッファ２１に書き込む（Ｓ３−２８）。
【００８２】
処理（Ｓ３−２９）では、ボタン押下は“文書全体複写”の指示かを判断する（Ｓ３−２９）。“文書全体複写”の指示であるときは、“文書全体”を印刷ページ番号バッファ２１に書き込む。尚、処理（Ｓ１３）以降は、前述の実施形態２の図１１の処理と同じである。
【００８３】
（実施形態７）
次に、本発明の実施形態７について説明する。
実施形態７は、オペレータの指示により“複写禁止”等の付加印刷を行う形態とする。構成は、実施形態１の図１と同等である。“複写禁止”等の文字列／イメージのデータは予め複写制御部２に記憶しておく。複写制御部２は、“複写禁止”等の文字を画像スキャンしたデータに合成して文書印刷データ格納バッファ１４に書き込む。オペレーションパネル１３は、“複写禁止”等の選択、大きさ、位置、色の指定機能を付加指示として持つ。他の各部の動作は実施形態１と同等である。
【００８４】
図２２に、実施形態７の複写制御部２の動作をフローチャートで示す。実施形態１の図５のフローチャートとの違いは、処理（Ｓ３−５）、（Ｓ３−６）の削除、処理（Ｓ３−３１）、（Ｓ３−３２）の追加、処理（Ｓ３−１０）の修正の処理（Ｓ３−３３）であり、この処理の部分を説明する。
【００８５】
処理（Ｓ３−４）でＩＤ番号読み出し完了通知があると、オペレーションパネル１３より複写禁止文字の付加指示ありかを判断する（Ｓ３−３１）。ない場合はＳ３−１１に進み、その後、付加なしの複写を行う。処理（Ｓ３−３１）で複写禁止文字の付加指示がある場合は、複写禁止文字を大きさ・位置・色の付加指示により作成する（Ｓ３−３２）。画像スキャン依頼通知をし（Ｓ３−７）、処理は図７のＳ５−４に移る。
【００８６】
図７で、スキャナ制御部１２は、画像スキャン通知を受けると（Ｓ５−４）、画像スキャンし（Ｓ５−５）、画像スキャン完了を通知する（Ｓ５−６）。
図２２に戻り、画像スキャン完了通知を待ち、通知を受けると（Ｓ３−８）、ユニークなファイル名を決定しそのファイル名を文書印刷データファイル名バッファ１８に書き込む（Ｓ３−９）。スキャン画像バッファ１６内のデータと複写禁止文字の印刷データを合成して、文書印刷データ格納バッファ１４に書き込む（Ｓ３−３３）。Ｓ３−１６に進み、以後実施形態１と同じであり複写禁止文字の付加印刷が行われる。
【００８７】
なお、“複写禁止”文字用データは、テキスト文字コードとして持っておき、フォントジェネレータを使用して生成し、文書印刷データと合成してもよい。また、オペレーションパネル１３より、任意の文字列を入力指定してもよい。
【００８８】
（実施形態８）
次に、本発明の実施形態８について説明する。
実施形態８の構成は実施形態１の図１と同等とする。但し、ＩＤ対応管理テーブル１７においてＩＤ番号、文書印刷データファイル名に対応して“複写禁止文字を付加するか否か”の情報を記憶する。これにより、ＩＤ番号でのＩＤ対応管理テーブル１７の検索時に複写禁止文字付加指示があれば、複写禁止文字を付加する。オペレーションパネル１３は、“複写禁止”等の選択、大きさ、位置、色の指定機能を付加指示として持つ。勿論、複写禁止以外の文字等でもよい。
【００８９】
図２３に、実施形態８の複写制御部２の動作をフローチャートで示す。実施形態１の図８と同じ符号の処理は説明を省く。処理（Ｓ３−３２）、（Ｓ３−３３）は実施形態７と同等である。
【００９０】
新たに、（Ｓ３−３３）から（Ｓ３−３７、Ｓ３−１８）を修正した処理（Ｓ３−３８）が加わっている。これらの処理を説明する。他の各部の動作は実施形態１と同等である。
【００９１】
まず、処理（Ｓ３−９）で画像スキャンしたデータのユニークなファイル名を決定し、文書印刷データファイル名バッファ１８に書き込む（Ｓ３−９）。
次に、複写禁止文字の付加指示ありかを判断する（Ｓ３−３４）。付加支持がない場合は、スキャン画像バッファ１６内のデータを文書印刷データ格納バッファ１４に書き込む（Ｓ３−１０）。Ｓ３−３４で複写禁止文字の付加指示がある場合は、複写禁止文字を大きさ・位置・色の付加指示により作成する（Ｓ３−３２）。スキャン画像バッファ１６内のデータと複写禁止文字の印刷データを合成して、文書印刷データ格納バッファ１４に書き込む（Ｓ３−３３）。Ｓ３−１０又はＳ３−３３の後は、Ｓ３−１６の文書印刷データ展開完了を通知に進み、その後は、実施形態１と同等に処理される。
【００９２】
また、処理（Ｓ３−６）でＩＤ番号が存在しないまたは対応するファイル名のファイルが存在しないかの判断で、ＩＤ番号が存在するまたは対応するファイル名のファイルが存在する場合は、処理（Ｓ３−３５）に進む。ＩＤ対応管理テーブル１７の複写禁止文字付加の情報が付加になっているかを判断する（Ｓ３−３５）。付加になっていない場合は、文書印刷データファイルを読み出して、文書印刷データ格納バッファ１４に書き込み（Ｓ３−１１）、処理（Ｓ３−１２、Ｓ３−１６）と進み、その後は実施形態１と同等に処理される。
【００９３】
付加になっている場合は、複写禁止文字を大きさ・位置・色の付加指示より作成する（Ｓ３−３６）。スキャン画像バッファ１６内のデータと複写禁止文字の印刷データを合成して、文書印刷データ格納バッファ１４に書き込む（Ｓ３−３７）。その後、ファイル名を文書印刷データファイル名バッファ１８に書き込み（Ｓ３−１２）、Ｓ３−１６に進み、その後は実施形態１と同等に処理される。
【００９４】
また、Ｓ３−１７で前述のＩＤ番号取得通知があると、ＲＦＩＤタグから、ある場合は、“複写禁止文字を付加するか否か”の情報とその付属情報である大きさ・色・位置を取得し、文書印刷データファイル名バッファ１８に格納されているファイル名と通知されたＩＤ番号とともに対応させてＩＤ対応管理テーブルに登録する（Ｓ３−３８）。
【００９５】
このように構成することにより、無駄な印刷を回避することができ、複合機を効率よく使用することができる。
【図面の簡単な説明】
【００９６】
【図１】本発明の実施形態１の構成図を示す。
【図２】本発明のＩＤ対応管理テーブルのデータ構成を示す。
【図３】文書印刷データ受信部の動作をフローチャートで示す。
【図４】本発明の画像データ描画部の動作をフローチャートで示す。
【図５】本発明の実施形態１の複写制御部の動作をフローチャートで示す。
【図６】本発明の描画データ転送部の動作をフローチャートで示す。
【図７】本発明のスキャナ制御部の動作をフローチャートで示す。
【図８】本発明の排紙制御部の動作をフローチャートで示す。
【図９】本発明の実施形態２の構成図を示す。
【図１０】本発明の実施形態２の排紙制御部の動作をフローチャートで示す。
【図１１】本発明の実施形態２の複写制御部の動作をフローチャートで示す。
【図１２】本発明の給紙制御部の動作のフローチャートで示す。
【図１３】本発明の実施形態３の複写制御部の動作をフローチャートで示す。
【図１４】本発明の実施形態３のスキャナ制御部の動作をフローチャートで示す。
【図１５】本発明の実施形態４の複写制御部の動作をフローチャートで示す。
【図１６】本発明の実施形態５の構成図を示す。
【図１７】本発明の実施形態５の文書印刷データ受信部の動作をフローチャートで示す。
【図１８】本発明の実施形態５の画像データ描画部の動作をフローチャートで示す。
【図１９】本発明の実施形態６の構成図を示す。
【図２０】本発明の実施形態６の画像データ描画部の動作をフローチャートで示す。
【図２１】本発明の実施形態６の複写制御部の動作をフローチャートで示す。
【図２２】本発明の実施形態７の複写制御部の動作をフローチャートで示す。
【図２３】本発明の実施形態８の複写制御部の動作をフローチャートで示す。
【符号の説明】
【００９７】
１・・・複合機
２・・・複写制御部
３・・・文書印刷データ受信部
４・・・画像データ描画部
５・・・描画データ転送部
６・・・プリンタエンジン
７、１１・・・ＩＤリーダ
８・・・排紙制御部
９・・・文書印刷データファイル
１０・・・スキャナ
１２・・・スキャナ制御部
１３・・・オペレーションパネル
１４・・・文書印刷データ格納バッファ
１５・・・画像メモリ
１６・・・スキャン画像バッファ
１７・・・ＩＤ対応管理テーブル
１８・・・文書印刷データファイル名バッファ
１９・・・給紙制御部
２０・・・給紙用紙種バッファ
２１・・・印刷ページ番号バッファ
【図１】
2006007674.tif 000003
【図２】
2006007674.tif 000004
【図３】
2006007674.tif 000005
【図４】
2006007674.tif 000006
【図５】
2006007674.tif 000007
【図６】
2006007674.tif 000008
【図７】
2006007674.tif 000009
【図８】
2006007674.tif 000010
【図９】
2006007674.tif 000011
【図１０】
2006007674.tif 000012
【図１１】
2006007674.tif 000013
【図１２】
2006007674.tif 000014
【図１３】
2006007674.tif 000015
【図１４】
2006007674.tif 000016
【図１５】
2006007674.tif 000017
【図１６】
2006007674.tif 000018
【図１７】
2006007674.tif 000019
【図１８】
2006007674.tif 000020
【図１９】
2006007674.tif 000021
【図２０】
2006007674.tif 000022
【図２１】
2006007674.tif 000023
【図２２】
2006007674.tif 000024
【図２３】
2006007674.tif 000025